(57)【要約】【課題】院内の各場所における感染菌を様々な培養環境で培養し、画像データによる検査依頼と検査結果通知をネットワークを介して行う。【解決手段】院内感染管理端末２がカメラ制御部１１４に対して一定時間毎に撮影を指示し、カメラ制御部１１４から受信した画像データに院内感染管理端末２が時刻情報を付加し画像データベース２５２に格納し、院内感染管理端末２が所定回数の撮影完了後に画像データを編集し医療機関名を付加して検査センターサーバ５に送信し、検査センターサーバ５が受信した画像データを検査員端末６に転送し検査を依頼し、検査員端末６から受信した検査結果を検査センターサーバ５が院内感染管理端末２に転送し、院内感染管理端末２が検査センターサーバ５から受信した検査結果を院内の予め定めた院内端末３に転送することを特徴とする。【選択図】      図１
2005182401.tif 000002
【特許請求の範囲】
【請求項１】
医療機関に備えられた培養装置，院内感染管理端末と、検査センターに備えられた検査センターサーバ，検査員端末と、前記院内感染管理端末と前記検査センターサーバとを接続するインターネットとを有する院内感染防止システムであって、
前記培養装置は、院内空気に含まれる菌を培養する培養器と前記培養器を撮影するカメラとカメラ制御部とを含む環境箱を備え、前記カメラ制御部は、前記院内感染管理端末からの撮影指示を受け前記カメラを作動させて前記培養器の撮影を行う手段と、撮影された画像データを前記院内感染管理端末に送信する手段とを有し、
前記院内感染管理端末は、前記培養装置のカメラ制御部に対して一定時間毎に撮影を指示する手段と、前記カメラ制御部から受信した画像データに時刻情報を添付し、画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有し、
前記検査センターサーバは、各医療機関の前記院内感染管理端末から受信した画像データを医療機関別に医療機関別画像データベースに格納する手段と、受信した画像データを前記検査員端末に転送し検査を依頼する手段と、前記検査員端末から受信した検査結果を検査依頼元の院内感染管理端末に転送する手段と、検査結果を医療機関別検査履歴データベースに登録する手段とを有し、
前記検査員端末は、前記検査センターサーバからの検査依頼を受信，表示する手段と、検査員により入力された検査結果を前記検査センターサーバに送信する手段とを有することを特徴とする院内感染防止システム。
【請求項２】
医療機関に備えられた培養装置，院内感染管理端末と、検査センターに備えられた検査センターサーバ，検査員端末と、前記院内感染管理端末と前記検査センターサーバとを接続するインターネットとを有する院内感染防止システムであって、
前記培養装置は、複数の院内空気採取場所および複数の培養環境に対応するための複数の環境箱を備え、各環境箱は院内空気に含まれる菌を培養する培養器と前記培養器を撮影するカメラとカメラ制御部とを含み、前記カメラ制御部は、前記院内感染管理端末からの撮影指示を受け前記カメラを作動させて前記培養器の撮影を行う手段と、撮影された画像データにカメラ制御部ＩＤを付加して前記院内感染管理端末に送信する手段とを有し、
前記院内感染管理端末は、前記培養装置のカメラ制御部に対して一定時間毎に撮影を指示する手段と、画像データ受信時に、環境箱番号，空気採取場所，培養環境，カメラ制御部ＩＤが対応付けられて予め登録された環境箱データベースを検索し、前記カメラ制御部から受信したカメラ制御部ＩＤに対応する環境箱番号を取得する手段と、受信した画像データに時刻情報を添付し前記環境箱番号別に画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有し、
前記検査センターサーバは、各医療機関の前記院内感染管理端末から受信した画像データを医療機関別に医療機関別画像データベースに格納する手段と、受信した画像データを前記検査員端末に転送し検査を依頼する手段と、前記検査員端末から受信した検査結果を検査依頼元の院内感染管理端末に転送する手段と、検査結果を医療機関別検査履歴データベースに登録する手段とを有し、
前記検査員端末は、前記検査センターサーバからの検査依頼を受信，表示する手段と、検査員により入力された検査結果を前記検査センターサーバに送信する手段とを有することを特徴とする院内感染防止システム。
【請求項３】
前記検査センターサーバは、定期的に前記医療機関別検査履歴データベースを検索し最新の登録が院内感染可能性有りとなっている医療機関があるかを判別する手段と、あった場合に該当医療機関の院内感染管理端末に対して再検査データの送信を依頼する手段と、あった場合で院内感染可能性有りの登録が一定期間以上継続している場合に、管轄の保健所に該当医療機関の検査履歴情報を送信する手段とを、さらに有することを特徴とする請求項１または請求項２記載の院内感染防止システム。
【請求項４】
前記院内感染管理端末における画像データの編集は、前記画像データベースに格納された環境箱番号別の画像データを時刻情報を基に撮影時刻の順に並べるとともに、前記環境箱番号に対応する空気採取場所および培養環境を前記環境箱データベースから取得して付加することを特徴とする請求項２記載の院内感染防止システム。
【請求項５】
医療機関に備えられた培養装置と検査センターに備えられた検査センターサーバとに接続される院内感染管理端末であって、
前記培養装置に備えられたカメラ制御部に対して一定時間毎に撮影を指示する手段と、前記カメラ制御部から受信した画像データに時刻情報を添付し、画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有することを特徴とする院内感染管理端末。
【請求項６】
医療機関に備えられた培養装置と検査センターに備えられた検査センターサーバとに接続される院内感染管理端末であって、
前記培養装置に備えられたカメラ制御部に対して一定時間毎に撮影を指示する手段と、前記カメラ制御部からの画像データ受信時に、前記培養装置に備えられた複数の環境箱それぞれに対して環境箱番号，空気採取場所，培養環境，カメラ制御部ＩＤが対応付けられて予め登録された環境箱データベースを検索し、前記カメラ制御部から画像データとともに受信したカメラ制御部ＩＤに対応する環境箱番号を取得する手段と、受信した画像データに時刻情報を添付し前記環境箱番号別に画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有することを特徴とする院内感染管理端末。
【請求項７】
前記画像データの編集は、前記画像データベースに格納された環境箱番号別の画像データを時刻情報を基に撮影時刻の順に並べるとともに、前記環境箱番号に対応する空気採取場所および培養環境を前記環境箱データベースから取得して付加することを特徴とする請求項６記載の院内感染管理端末。
【請求項８】
医療機関に備えられた培養装置，院内感染管理端末と、検査センターに備えられた検査センターサーバ，検査員端末と、前記院内感染管理端末と前記検査センターサーバとを接続するインターネットとを用いた院内感染防止方法であって、
前記院内感染管理端末が前記培養装置に含まれるカメラ制御部に対して一定時間毎に撮影を指示する第１のステップと、前記カメラ制御部が前記撮影指示を受け前記培養装置に含まれるカメラを作動させて前記培養装置に含まれる培養器の撮影を行う第２のステップと、前記カメラ制御部が撮影された画像データを前記院内感染管理端末に送信する第３のステップと、、前記カメラ制御部から受信した画像データに前記院内感染管理端末が時刻情報を付加し画像データベースに格納する第４のステップと、前記院内感染管理端末が所定回数の撮影完了後に画像データを編集し医療機関名を付加して前記検査センターサーバに送信する第５のステップと、前記検査センターサーバが受信した画像データを前記検査員端末に転送し検査を依頼する第６のステップと、検査員により入力された検査結果を前記検査員端末が前記検査センターサーバに送信する第７のステップと、前記検査員端末から受信した検査結果を前記検査センターサーバが検査依頼元の院内感染管理端末に転送する第８のステップと、前記検査センターサーバが検査結果を医療機関別検査履歴データベースに登録する第９のステップと、前記院内感染管理端末が前記検査センターサーバから受信した検査結果を院内の予め定めた連絡先端末に転送する第１０のステップと、を有することを特徴とする院内感染防止方法。
【請求項９】
前記検査センターサーバが、定期的に前記医療機関別検査履歴データベースを検索し最新の登録が院内感染可能性有りとなっている医療機関があるかを判別する第１１のステップと、あった場合に前記検査センターサーバが該当医療機関の院内感染管理端末に対して再検査データの送信を依頼する第１２のステップと、あった場合で院内感染可能性有りの登録が一定期間以上継続している場合に、前記検査センターサーバが管轄の保健所に該当医療機関の検査履歴情報を送信する第１３のステップとを、さらに有することを特徴とする請求項８記載の院内感染防止方法。
【請求項１０】
第１の外部装置に備えられたカメラ制御部に対して一定時間毎に撮影を指示する機能、前記カメラ制御部から受信した画像データに時刻情報を添付し、画像データベースに格納する機能、所定回数の撮影完了後に画像データを編集し医療機関名を付加して第２の外部装置に送信する機能、前記外部サーバから検査結果を受信し予め定めた連絡先端末に転送する機能、をコンピュータに実現させるためのプログラム。
【請求項１１】
第１の外部装置に備えられたカメラ制御部に対して一定時間毎に撮影を指示する機能、前記カメラ制御部からの画像データ受信時に、前記第１の外部装置に備えられた複数の環境箱それぞれに対して環境箱番号，空気採取場所，培養環境，カメラ制御部ＩＤが対応付けられて予め登録された環境箱データベースを検索し、前記カメラ制御部から画像データとともに受信したカメラ制御部ＩＤに対応する環境箱番号を取得する機能、受信した画像データに時刻情報を添付し前記環境箱番号別に画像データベースに格納する機能、所定回数の撮影完了後に画像データを編集し医療機関名を付加して第２の外部装置に送信する機能、前記外部サーバから検査結果を受信し予め定めた連絡先端末に転送する機能、をコンピュータに実現させるためのプログラム。
【発明の詳細な説明】
【技術分野】
【０００１】
本発明は、病院等の医療機関における院内感染防止システム，院内感染管理端末，院内感染防止方法およびプログラムに関する。
【背景技術】
【０００２】
病院等の医療機関における院内感染防止システムの例としては、感染症患者の病室を管理し、通常患者の入院受付時に前記病室への入院を許可しないようにすることにより、院内感染を未然に防止しているものがある（例えば、特許文献１参照）。
【０００３】
また、院内感染菌を判定するために、室内空気をＭＲＳＡ（メチシリン耐性黄色ブドウ球菌）培地上に吸引し、ＭＲＳＡを培養する病原体培養器がある（例えば、特許文献２参照）。
【０００４】
【特許文献１】特開２００２−１８３２９６号公報（段落「００１１」、図１４）
【特許文献２】実開平７−１３２００号公報（図１）
【発明の開示】
【発明が解決しようとする課題】
【０００５】
しかし、上述した特許文献１に記載の発明は、入院患者を対象とした感染症患者からの感染防止のためのシステムであり、入院患者以外の人に対しての感染防止については考慮されていないという問題がある。
【０００６】
また、特許文献２に記載の発明は、培養対象菌や培養環境が限定されているとともに、判定を行うにあたっての菌の捕獲，培養，滅菌に関する内容に限定されている。従って、院内感染を起こす様々な菌の判定ができず、また、判定後の結果の関係者への周知や報告等についても考慮されていないという問題がある。
【０００７】
本発明は、以上の問題の少なくともいずれかを解決する院内感染防止システム，院内感染管理端末，院内感染防止方法およびプログラムを提供することを目的とする。
【課題を解決するための手段】
【０００８】
本発明の第１の院内感染防止システムは、医療機関に備えられた培養装置，院内感染管理端末と、検査センターに備えられた検査センターサーバ，検査員端末と、前記院内感染管理端末と前記検査センターサーバとを接続するインターネットとを有する院内感染防止システムであって、
前記培養装置は、院内空気に含まれる菌を培養する培養器と前記培養器を撮影するカメラとカメラ制御部とを含む環境箱を備え、前記カメラ制御部は、前記院内感染管理端末からの撮影指示を受け前記カメラを作動させて前記培養器の撮影を行う手段と、撮影された画像データを前記院内感染管理端末に送信する手段とを有し、
前記院内感染管理端末は、前記培養装置のカメラ制御部に対して一定時間毎に撮影を指示する手段と、前記カメラ制御部から受信した画像データに時刻情報を添付し、画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有し、
前記検査センターサーバは、各医療機関の前記院内感染管理端末から受信した画像データを医療機関別に医療機関別画像データベースに格納する手段と、受信した画像データを前記検査員端末に転送し検査を依頼する手段と、前記検査員端末から受信した検査結果を検査依頼元の院内感染管理端末に転送する手段と、検査結果を医療機関別検査履歴データベースに登録する手段とを有し、
前記検査員端末は、前記検査センターサーバからの検査依頼を受信，表示する手段と、検査員により入力された検査結果を前記検査センターサーバに送信する手段とを有する。
【０００９】
本発明の第２の院内感染防止システムは、医療機関に備えられた培養装置，院内感染管理端末と、検査センターに備えられた検査センターサーバ，検査員端末と、前記院内感染管理端末と前記検査センターサーバとを接続するインターネットとを有する院内感染防止システムであって、
前記培養装置は、複数の院内空気採取場所および複数の培養環境に対応するための複数の環境箱を備え、各環境箱は院内空気に含まれる菌を培養する培養器と前記培養器を撮影するカメラとカメラ制御部とを含み、前記カメラ制御部は、前記院内感染管理端末からの撮影指示を受け前記カメラを作動させて前記培養器の撮影を行う手段と、撮影された画像データにカメラ制御部ＩＤを付加して前記院内感染管理端末に送信する手段とを有し、
前記院内感染管理端末は、前記培養装置のカメラ制御部に対して一定時間毎に撮影を指示する手段と、画像データ受信時に、環境箱番号，空気採取場所，培養環境，カメラ制御部ＩＤが対応付けられて予め登録された環境箱データベースを検索し、前記カメラ制御部から受信したカメラ制御部ＩＤに対応する環境箱番号を取得する手段と、受信した画像データに時刻情報を添付し前記環境箱番号別に画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有し、
前記検査センターサーバは、各医療機関の前記院内感染管理端末から受信した画像データを医療機関別に医療機関別画像データベースに格納する手段と、受信した画像データを前記検査員端末に転送し検査を依頼する手段と、前記検査員端末から受信した検査結果を検査依頼元の院内感染管理端末に転送する手段と、検査結果を医療機関別検査履歴データベースに登録する手段とを有し、
前記検査員端末は、前記検査センターサーバからの検査依頼を受信，表示する手段と、検査員により入力された検査結果を前記検査センターサーバに送信する手段とを有する。
【００１０】
本発明の第３の院内感染防止システムは、本発明の第１または第２の院内感染防止システムにおいて、前記検査センターサーバは、定期的に前記医療機関別検査履歴データベースを検索し最新の登録が院内感染可能性有りとなっている医療機関があるかを判別する手段と、あった場合に該当医療機関の院内感染管理端末に対して再検査データの送信を依頼する手段と、あった場合で院内感染可能性有りの登録が一定期間以上継続している場合に、管轄の保健所に該当医療機関の検査履歴情報を送信する手段とを、さらに有する。
【００１１】
本発明の第４の院内感染防止システムは、本発明の第２の院内感染防止システムにおいて、前記院内感染管理端末における画像データの編集は、前記画像データベースに格納された環境箱番号別の画像データを時刻情報を基に撮影時刻の順に並べるとともに、前記環境箱番号に対応する空気採取場所および培養環境を前記環境箱データベースから取得して付加することを特徴とする。
【００１２】
本発明の第１の院内感染管理端末は、医療機関に備えられた培養装置と検査センターに備えられた検査センターサーバとに接続される院内感染管理端末であって、
前記培養装置に備えられたカメラ制御部に対して一定時間毎に撮影を指示する手段と、前記カメラ制御部から受信した画像データに時刻情報を添付し、画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有する。
【００１３】
本発明の第２の院内感染管理端末は、医療機関に備えられた培養装置と検査センターに備えられた検査センターサーバとに接続される院内感染管理端末であって、
前記培養装置に備えられたカメラ制御部に対して一定時間毎に撮影を指示する手段と、前記カメラ制御部からの画像データ受信時に、前記培養装置に備えられた複数の環境箱それぞれに対して環境箱番号，空気採取場所，培養環境，カメラ制御部ＩＤが対応付けられて予め登録された環境箱データベースを検索し、前記カメラ制御部から画像データとともに受信したカメラ制御部ＩＤに対応する環境箱番号を取得する手段と、受信した画像データに時刻情報を添付し前記環境箱番号別に画像データベースに格納する手段と、所定回数の撮影完了後に画像データを編集し医療機関名を付加して前記検査センターサーバに送信する手段と、前記検査センターサーバから検査結果を受信し院内の予め定めた連絡先端末に転送する手段とを有する。
【００１４】
本発明の第３の院内感染管理端末は、本発明の第２の院内感染管理端末において、前記画像データの編集は、前記画像データベースに格納された環境箱番号別の画像データを時刻情報を基に撮影時刻の順に並べるとともに、前記環境箱番号に対応する空気採取場所および培養環境を前記環境箱データベースから取得して付加することを特徴とする。
【００１５】
本発明の第１の院内感染防止方法は、医療機関に備えられた培養装置，院内感染管理端末と、検査センターに備えられた検査センターサーバ，検査員端末と、前記院内感染管理端末と前記検査センターサーバとを接続するインターネットとを用いた院内感染防止方法であって、
前記院内感染管理端末が前記培養装置に含まれるカメラ制御部に対して一定時間毎に撮影を指示する第１のステップと、前記カメラ制御部が前記撮影指示を受け前記培養装置に含まれるカメラを作動させて前記培養装置に含まれる培養器の撮影を行う第２のステップと、前記カメラ制御部が撮影された画像データを前記院内感染管理端末に送信する第３のステップと、、前記カメラ制御部から受信した画像データに前記院内感染管理端末が時刻情報を付加し画像データベースに格納する第４のステップと、前記院内感染管理端末が所定回数の撮影完了後に画像データを編集し医療機関名を付加して前記検査センターサーバに送信する第５のステップと、前記検査センターサーバが受信した画像データを前記検査員端末に転送し検査を依頼する第６のステップと、検査員により入力された検査結果を前記検査員端末が前記検査センターサーバに送信する第７のステップと、前記検査員端末から受信した検査結果を前記検査センターサーバが検査依頼元の院内感染管理端末に転送する第８のステップと、前記検査センターサーバが検査結果を医療機関別検査履歴データベースに登録する第９のステップと、前記院内感染管理端末が前記検査センターサーバから受信した検査結果を院内の予め定めた連絡先端末に転送する第１０のステップと、を有する。
【００１６】
本発明の第２の院内感染防止方法は、本発明の第１の院内感染防止方法において、前記検査センターサーバが、定期的に前記医療機関別検査履歴データベースを検索し最新の登録が院内感染可能性有りとなっている医療機関があるかを判別する第１１のステップと、あった場合に前記検査センターサーバが該当医療機関の院内感染管理端末に対して再検査データの送信を依頼する第１２のステップと、あった場合で院内感染可能性有りの登録が一定期間以上継続している場合に、前記検査センターサーバが管轄の保健所に該当医療機関の検査履歴情報を送信する第１３のステップとを、さらに有する。
【００１７】
本発明の第１のプログラムは、第１の外部装置に備えられたカメラ制御部に対して一定時間毎に撮影を指示する機能、前記カメラ制御部から受信した画像データに時刻情報を添付し、画像データベースに格納する機能、所定回数の撮影完了後に画像データを編集し医療機関名を付加して第２の外部装置に送信する機能、前記外部サーバから検査結果を受信し予め定めた連絡先端末に転送する機能、をコンピュータに実現させる。
【００１８】
本発明の第２のプログラムは、第１の外部装置に備えられたカメラ制御部に対して一定時間毎に撮影を指示する機能、前記カメラ制御部からの画像データ受信時に、前記第１の外部装置に備えられた複数の環境箱それぞれに対して環境箱番号，空気採取場所，培養環境，カメラ制御部ＩＤが対応付けられて予め登録された環境箱データベースを検索し、前記カメラ制御部から画像データとともに受信したカメラ制御部ＩＤに対応する環境箱番号を取得する機能、受信した画像データに時刻情報を添付し前記環境箱番号別に画像データベースに格納する機能、所定回数の撮影完了後に画像データを編集し医療機関名を付加して第２の外部装置に送信する機能、前記外部サーバから検査結果を受信し予め定めた連絡先端末に転送する機能、をコンピュータに実現させる。
【発明の効果】
【００１９】
本発明は、院内で採取した空気に含まれる感染菌の培養状況を一定時間毎に撮影し、画像データを検査センターに送って検査結果を受信し、受信した検査結果を院内各部署に通知するようにしている。このため、院内における感染予防に有効であるとともに、画像データ収集，編集や検査センターへの検査依頼、検査結果の院内周知等を自動で行えるという効果がある。
【００２０】
また、院内感染菌の検査をインターネットを介して検査センターに依頼しているため、各医療機関に検査員をおかなくても済むとともに、検査センターに各医療機関の院内感染状況をデータベースとして蓄積できるという効果もある。
【発明を実施するための最良の形態】
【００２１】
本発明を実施するための最良の形態について図面を参照して詳細に説明する。
【００２２】
図１は、本発明を実施するための最良の形態の構成を示す図である。図１を参照すると、本発明は、培養装置１と、院内感染管理端末２と、院内端末３と、これらを接続するＬＡＮ（Local Area Network）４と、検査センターサーバ５と、検査員端末６と、検査センターサーバ５，検査員端末６を接続するＬＡＮ７と、保健所端末８と、院内感染管理端末２，検査センターサーバ５，保健所端末８の相互間を接続するインターネット９とを備えている。このなかで、培養装置１，院内感染管理端末２，院内端末３およびＬＡＮ４は、病院等の医療機関に備えられ、検査センターサーバ５，検査員端末６およびＬＡＮ７は検査センターに備えられている。
【００２３】
培養装置１には環境箱１１が複数備えられている。環境箱１１の数は特に限定されず、医療機関内の空気採取場所の数と培養環境の種類とを掛け合わせた数以上であればよい。なお、空気採取場所とは医療機関の一般外来待合室、内科，外科等の各科診療室等であり、培養環境とは、例えば、常温、特定の温度、特定の湿度、消毒液注入、放射線照射、太陽光照射、特定の気圧、特定の酸素量、窒素ガス注入、塩素ガス注入、アンモニアガス注入等の環境を指している。各環境箱１１は密封されており、培養器１１１と、カメラ１１２と、ライト１１３と、カメラ制御部１１４とを備えている。培養器１１１は、例えばシャーレ等であり、内面には感染菌定着のための培養液が塗布されている。カメラ１１２は培養器における菌の培養状態を撮影するものであり、例えばＣＣＤズームカメラである。ライト１１３は撮影時に培養器を照らす照明装置である。カメラ制御部１１４は、院内感染管理端末２とＬＡＮ４で接続され、院内感染管理端末２からの撮影指示を受けてカメラ１１２，ライト１１３を作動させて撮影を行う機能と、撮影された画像データにカメラ制御部ＩＤを添付して院内感染管理端末２に送信する機能とを備えている。
【００２４】
院内感染管理端末２は、パーソナルコンピュータ等の情報処理装置であり、入力部２１と、表示部２２と、時計部２３と、制御部２４と、記憶装置２５とを備えている。入力部２１はキーボードやポインティングデバイス等の入力手段である。表示部２２はＬＣＤ等のディスプレイであり、時計部２３は時刻情報を生成，管理している。制御部２４はＣＰＵ等の制御装置であり、図示していない記憶手段に記憶されたプログラムにより動作を制御される。この制御部２４は、培養装置１のカメラ制御部１１４に対して一定時間毎に撮影を指示する機能と、培養装置１から送られた画像データに時刻情報を添付し、環境箱１１対応に画像データベース２５２に格納する機能と、所定回数の撮影完了後に画像データを編集し医療機関名（または医療機関ＩＤ）を追加して検査センターサーバ５に送信する機能と、検査結果を受信し院内端末３に転送する機能とを備えている。記憶装置２５は読み出し，書き込み可能な記憶装置であり、環境箱データベース２５１と、画像データベース２５２とを含んでいる。環境箱データベース２５１には、各環境箱対応に、環境箱番号と、空気採取場所と、培養環境と、カメラ制御部ＩＤとを含む情報が予め登録されている。画像データベース２５２には、培養装置１から送られた画像データが時刻情報とともに環境箱毎に格納される。
【００２５】
院内端末３は、パーソナルコンピュータ等の情報処理装置である。これら院内端末３は医療機関内の各部署毎に予め選択された端末であり、院内感染管理端末２からの検査結果を受信，表示する機能を備えている。
【００２６】
検査センターサーバ５は、サーバ・ワークステーション等の情報処理装置であり、制御部５１と、記憶装置５２とを備えている。制御部５１はＣＰＵ等の制御装置であり、図示していない記憶手段に記憶されたプログラムにより動作を制御される。この制御部５１は、各医療機関の院内感染管理端末２から受信した画像データを医療機関別に医療機関別画像データベース５２１に格納する機能と、受信した画像データを検査員端末６に転送し検査を依頼する機能と、検査員端末６から受信した検査結果を検査依頼元の院内感染管理端末２に転送する機能と、検査結果を医療機関別検査履歴データベース５２２に登録する機能と、定期的に医療機関別検査履歴データベース５２２を検索し最新の登録が院内感染可能性有りとなっている医療機関があるかを判別する機能と、あった場合に該当医療機関に対して再検査データの送信を依頼する機能と、あった場合で院内感染可能性有りの登録が一定期間以上継続している場合は、保健所端末８に該当医療機関の検査履歴情報を送信する機能とを備えている。記憶装置５２は読み出し，書き込み可能な記憶装置であり、医療機関別画像データベース５２１と、医療機関別検査履歴データベース５２２とを含んでいる。医療機関別画像データベース５２１には、各医療機関から受信した画像データが医療機関別に格納される。詳細には、医療機関名（または医療機関ＩＤ），検査依頼日，空気採取場所，培養環境毎の画像データ（撮影時刻別）等が含まれる。医療機関別検査履歴データベース５２２には、検査員端末６から受信した検査結果が医療機関別に格納される。詳細には、医療機関名（または医療機関ＩＤ），検査依頼日，検査結果登録日，検査結果内容（空気採取場所毎の院内感染可能性の有無，感染菌名等）等が含まれる。
【００２７】
検査員端末６は、検査員が使用するパーソナルコンピュータ等の情報処理装置であり、検査センターサーバ５からの検査依頼を受信，表示する機能と、検査員により入力された検査結果を検査センターサーバ５に送信する機能とを備えている。
【００２８】
保健所端末８は、パーソナルコンピュータ等の情報処理装置である。この保健所端末８は医療機関を管轄する保健所に設置された端末であり、検査センターサーバ５からの通報を受信，表示する機能を備えている。
【００２９】
次に、本発明を実施するための最良の形態の動作について図１および図２を参照して説明する。図２は、本発明を実施するための最良の形態の動作を示すフローチャートである。
【００３０】
図２を参照すると、まず事前準備として、院内の各フロア（一般外来待合室、内科，外科等の各科診療室等）の空気を採取する。なお、ゴミ，花粉やカビ除去のためフィルターを介して空気を採取するものとする。そして、採取した空気を各採取場所対応の環境箱１１の培養器１１１に吹き付ける。なお、各採取場所対応の環境箱１１の数は培養環境の数だけ備えられている。環境箱１１の培養器１１１内に吹き込まれた感染菌は培養器１１１内面に塗布された培養液に付着し定着する。感染菌の定着後、それぞれの環境箱１１の培養環境（例えば、常温、特定の温度、特定の湿度、消毒液注入、放射線照射、太陽光照射、特定の気圧、特定の酸素量、窒素ガス注入、塩素ガス注入、アンモニアガス注入等）を各環境箱１１や培養器１１１に与え感染菌を繁殖させ始める。なお、以上の動作は医療機関の担当者が行うものとするが、自動化により行うようにしてもよい（ステップＡ１）。
【００３１】
院内空気および培養環境の環境箱１１，培養器１１１へのセットが終了すると、院内感染管理端末２において担当者は入力部２１から培養開始コマンドを入力する（ステップＡ２）。培養開始コマンドを受けた院内感染管理端末２の制御部２４は、各環境箱１１に備えられたカメラ制御部１１４に対して撮影指示コマンドを送信する。そして制御部２４は、図示しない記憶手段に撮影時刻を登録する。この撮影時刻は培養開始コマンド受信時刻から例えば２時間毎に１３回設定しておく。これにより、２４時間にわたる繁殖状況を２時間毎に画像撮影することになる。なお、これらの撮影時刻は撮影終了の度に制御部２４により各時刻に終了フラグが付加されていき、全ての撮影時刻に終了フラグが付加されたときに撮影終了と判断される（ステップＡ３）。
【００３２】
各環境箱１１のカメラ制御部１１４は、ライト１１３を点灯させカメラ１１２により培養器１１１に内面における菌の繁殖状態を撮影する。そして、カメラ制御部１１４は撮影した画像データに自身のカメラ制御部ＩＤを付加して院内感染管理端末２に送信する（ステップＡ４）。院内感染管理端末２の制御部２４は、各カメラ制御部１１４から受信したカメラ制御部ＩＤを基に環境箱データベース２５１から環境箱番号を取得するとともに、時計部２３から現在時刻情報を取得し、受信した画像データに時刻情報を付加して環境箱番号別に画像データベース２５２に格納する。そして、図示しない記憶手段に登録された撮影時刻情報の該当時刻に撮影終了フラグを付加登録する（ステップＡ５）。
【００３３】
院内感染管理端末２の制御部２４は、定期的（例えば、１０分毎）に図示しない記憶手段に登録された撮影時刻を検索し、次の撮影時刻になったかを確認する（ステップＡ６）。次の撮影時刻になっていたときは、上述したステップＡ３〜ステップＡ５の動作を繰り返す。次の撮影時刻になっていなかったときは、制御部２４は、図示しない記憶手段に登録された撮影時刻情報の全ての時刻に撮影終了フラグが付加されているかを検索し（ステップＡ７）、全ての時刻に撮影終了フラグが付加されていた場合に撮影が終了したと判断し、ステップＡ８に進む。
【００３４】
ステップＡ８においては、制御部２４は、撮影され画像データベース２５２に格納された画像データを編集し、インターネット９を介して検査センターサーバ５に送信し、検査を依頼する。このときの編集内容としては、画像データベース２５２に格納された環境箱番号別の画像データを時刻情報を基に撮影時刻の順に並べるとともに、環境箱番号を基に環境箱データベース２５１から取得した該当空気採取場所，該当培養環境を付加する。そして、空気採取場所，培養環境情報と撮影時刻順の画像データとを組み合わせた検査依頼データを作成し、医療機関名を付加して検査センターサーバ５に送信する（ステップＡ８）。
【００３５】
検査依頼データを受信した検査センターサーバ５の制御部５１は、受信した検査依頼データに検査依頼日時（受信日時）を追加して、医療機関別画像データベース５２１に格納する。また、制御部５１は検査依頼データを検査員端末６に送信し検査を依頼する（ステップＡ９）。検査員端末６が受信した検査依頼データを基に、検査員が各種培養環境下で繁殖させた菌の画像を検証し、菌の量や種類，危険度を判定し、検査結果を入力して検査センターサーバ５に送信する。検査センターサーバ５の制御部５１は、検査員端末６から受信した検査結果を検査依頼元の院内感染管理端末２に転送する。なお、検査センターサーバ５には、医療機関名に対応付けられた院内感染管理端末２のアドレスが図示しない記憶手段に予め登録されているものとする（ステップＡ１０）。そして、制御部５１は、検査結果を医療機関別検査履歴データベース５２２に登録する。検査結果としては、例えば、医療機関名，検査依頼日，検査結果登録日，検査結果内容（空気採取場所毎の院内感染可能性の有無，感染菌名等）等が含まれる（ステップＡ１１）。
【００３６】
院内感染管理端末２の制御部２４は、検査センターサーバ５から検査結果を受信して表示部２２に表示するとともに、図示しない記憶手段に院内感染連絡先として予め登録された院内端末３に転送する（ステップＡ１２）。
【００３７】
次に、検査センターサーバ５の制御部５１は、定期的（例えば、２日毎）に医療機関別検査履歴データベース５２２を検索し、最新の検査結果として院内感染可能性有りが登録されていた場合、該当医療機関尾院内感染管理端末２に対して再検査データを送信するよう通知する（ステップＡ１３）。
【００３８】
また、制御部５１は、医療機関別検査履歴データベース５２２を検索し、院内感染可能性有りの登録が一定期間（例えば、１週間）以上継続しており、最新の検査結果も院内感染可能性有りの場合には、該当医療機関名と検査結果情報を管轄の保健所端末８に送信する。なお、検査センターサーバ５には、各医療機関名毎に管轄保健所の保健所端末８のアドレスが図示しない記憶手段に予め登録されているものとする（ステップＡ１４）。
【００３９】
このように、ステップＡ１３やステップＡ１４に記載の動作を実行することにより、院内感染の可能性がある医療機関に対して解消するまで再検査を督促し、医療機関側の早急な対応を迫ることができるという効果が得られる。また、督促しても再検査データが送られてこなかったり、再検査しても感染可能性が一定期間以内で解消できなかったような場合には管轄保健所に報告するようにしたため、保健所側からの医療機関に対する指導等が得られ、早急な解決に役立つという効果も得られる。
【００４０】
また、以上説明した実施の形態においては、複数の院内空気採取場所および複数の培養環境に対応した培養装置１とした。これにより、各フロアの様々な院内感染菌の検査を一度で可能にするとともに、様々な培養環境下での菌の培養状態が観察でき、より幅広い感染菌の検査が可能になるという効果がある。
【００４１】
また、以上説明した実施の形態においては、検査センターにおける検査は受信した画像データを基に検査員が検査員端末において行うとして説明したが、検査センターサーバ５に自動検査ソフトウェアを備え自動検査化するようにしてもよい。
【００４２】
また、培養装置１は、一つの空気採取場所や一つの培養環境に対応するための一つの環境箱だけを備えたものにすることも可能である。
【図面の簡単な説明】
【００４３】
【図１】本発明を実施するための最良の形態の構成を示す図である。
【図２】本発明を実施するための最良の形態の動作を示すフローチャートである。
【符号の説明】
【００４４】
１    培養装置
１１    環境箱
１１１    培養器
１１２    カメラ
１１３    ライト
１１４    カメラ制御部
２    院内感染管理端末
２１    入力部
２２    表示部
２３    時計部
２４    制御部
２５    記憶装置
２５１    環境箱データベース
２５２    画像データベース
３    院内端末
４    ＬＡＮ
５    検査センターサーバ
５１    制御部
５２    記憶装置
５２１    医療機関別画像データベース
５２２    医療機関別検査履歴データベース
６    検査員端末
７    ＬＡＮ
８    保健所端末
９    インターネット
【図１】
2005182401.tif 000003
【図２】
2005182401.tif 000004